(57)【要約】【課題】据付け現場での組み替え作業を無くし、コンパクトで、かつ、給水用接続管の接続作業が容易で、無駄が無く、しかも、意匠性に優れた水洗便器装置を提供する。【解決手段】便器洗浄用貯水タンクを有さず、水道管等の給水源から供給され加圧された水２９を入水口１６、１７から開閉弁機構１２を介して便器本体１１に流し、便器本体１１の洗浄を行う水洗便器装置１０において、前記給水源に管２５、２６を介して連結される入水口１６、１７を便器本体１１の背部の左右にそれぞれ設けた。【選択図】        図１
2004232325.tif 000002
【特許請求の範囲】
【請求項１】
便器洗浄用貯水タンクを有さず、給水源から供給され加圧された水を入水口から開閉弁機構を介して便器本体に流し、該便器本体の洗浄を行う水洗便器装置において、
前記給水源に管を介して連結される前記入水口を前記便器本体の背部の左右にそれぞれ設けたことを特徴とする水洗便器装置。
【請求項２】
請求項１記載の水洗便器装置において、前記開閉弁機構の左右に入水ポートが設けられ、該それぞれの入水ポートに前記左右の入水口をそれぞれ備えた連結管が接続されていることを特徴とする水洗便器装置。
【請求項３】
請求項１記載の水洗便器装置において、前記開閉弁機構には一つの入水ポートを有し、該入水ポートに左右に流路が分かれた分岐管が接続され、この分岐管に前記左右の入水口が設けられていることを特徴とする水洗便器装置。
【請求項４】
請求項３記載の水洗便器装置において、前記分岐管の一方の流路は、前記便器本体の後部中央に設けられている突出支持部を貫通して配管されていることを特徴とする水洗便器装置。
【請求項５】
便器洗浄用貯水タンクを有さず、給水源から供給され加圧された水を入水口から開閉弁機構を介して便器本体に流し、該便器本体の洗浄を行う水洗便器装置において、
前記給水源に管を介して連結される前記入水口が前記便器本体の背部の左右両側に取付け可能となって、該便器本体の左右いずれか一方に取付けられた前記入水口と前記開閉弁機構の入水ポートとは可撓性管を介して連結されていることを特徴とする水洗便器装置。
【請求項６】
請求項５記載の水洗便器装置において、前記入水ポートは前記開閉弁機構の左右いずれか一方に設けられて、更に前記入水ポートには直下連結管の一端が連結され、該直下連結管の他端に前記可撓性管の下流側が接続されていることを特徴とする水洗便器装置。
【請求項７】
請求項６記載の水洗便器装置において、前記可撓性管は前記便器本体のボウル部の下部を囲む長さを有し、前記便器本体の左右いずれか一方に取付けられた前記入水口に前記可撓性管の上流側端部が接続可能となっていることを特徴とする水洗便器装置。
【発明の詳細な説明】
【０００１】
【発明の属する技術分野】
本発明は、便器洗浄用貯水タンクを備えておらず、水道管等の給水源から直接、便器洗浄用水を開閉弁機構を介して便器本体に流して便器本体の洗浄を行う水洗便器装置に関する。
【０００２】
【従来の技術】
従来、操作手段を介して開閉弁機構を操作することにより、開閉弁機構を経由して便器洗浄用水を便器本体に流して便器本体の洗浄を行う水洗便器装置として、給水源の一例である水道管から便器洗浄用の水を一旦、便器洗浄用貯水タンク（レバーの手動操作により作動するボールタップ（開閉弁機構に相当）を備えている）に貯留し、水道管から便器洗浄用貯水タンクを介して便器本体に間接的に流すタイプのものと、一方、便器洗浄用貯水タンクを用いず、水道管に接続して便器洗浄用水を直接便器本体に流すタイプのもの（タンクレス）とが知られている。
便器洗浄用貯水タンクを設けた場合においては、便器洗浄用貯水タンクの左又は右の給水仕様に応じて、据付け現場にて、給水源の左右の位置に符合して、ボールタップ及びレバー等の組み替え作業を行うことによって対応している。
一方、タンクレスの場合においては、水洗便器装置（実質的に便器本体）と、トイレ室の後側壁面との隙間に給水用接続管（給水ホース）を通して、左又は右の給水源に対応している。また、便器本体への給水用接続管の接続は蛇腹等の伸縮構造であり、しかも、便器本体の外で行われている。
【０００３】
【発明が解決しようとする課題】
しかしながら、前記従来の水洗便器装置においては、未だ解決すべきそれぞれ以下のような問題があった。
便器洗浄用貯水タンクを設けた場合においては、装置の多機能化や小型化に伴い、据付け現場での組み替え作業が困難であり、かつ、品質が確保できないという問題があった。
一方、タンクレスの場合においては、給水用接続管を取り回す空間（トイレ室の後側壁面と便器本体との隙間）を必要とし、便器本体をトイレ室の後側壁面から一定の隙間を開けて設置することになり、トイレ室内における器具の占有面積が大きくなり、使い勝手が悪いという問題があった。また、給水用接続管の取り出し位置については、設置現場にて様々な理由により異なった場所が多い為、給水用接続管も長くなり、給水用接続管周りの掃除がし難いことや、また、意匠性が劣るという問題もあった。さらに、現場の給水用接続管の取り出し位置に合わせて、複数個の長さの違う給水用接続管から所要の給水用接続管を選択する必要があり、このため不必要な給水用接続管は破棄され無駄となっていた。
【０００４】
本発明はこのような事情に鑑みてなされたもので、据付け現場での組み替え作業を無くし、コンパクトで、かつ、給水用接続管の接続作業が容易で、無駄が無く、しかも、意匠性に優れた水洗便器装置を提供することを目的とする。
【０００５】
【課題を解決するための手段】
前記目的に沿う第１の発明に係る水洗便器装置は、便器洗浄用貯水タンクを有さず、給水源から供給され加圧された水を入水口から開閉弁機構を介して便器本体に流し、便器本体の洗浄を行う水洗便器装置において、
給水源に管を介して連結される入水口を便器本体の背部の左右にそれぞれ設けた。
これによって、便器本体の背部の、例えば、窪んだ空間部の左右にそれぞれ設けた入水口のうち、例えば、給水源に対して近いほうの入水口を、管を介して給水源に連結することができるので、管を取り回す隙間（トイレ室の後側壁面と便器本体との余分の隙間）が不要となる。
【０００６】
第１の発明に係る水洗便器装置において、開閉弁機構の左右に入水ポートが設けられ、それぞれの入水ポートに左右の入水口をそれぞれ備えた連結管が接続されるように構成することもできる。
これによって、開閉弁機構の入水ポートに接続される連結管の入水口と給水源とを管を介して連結するので、連結作業が簡略化される。
【０００７】
第１の発明に係る水洗便器装置において、開閉弁機構には一つの入水ポートを有し、入水ポートに左右に流路が分かれた分岐管が接続され、この分岐管に左右の入水口が設けられるように構成することもできる。
これによって、分岐管の使用により一つの入水ポートを有する開閉弁機構を用いることができる。
【０００８】
第１の発明に係る水洗便器装置において、分岐管の一方の流路は、便器本体の後部中央に設けられている突出支持部を貫通して配管されるように構成することもできる。
これによって、分岐管を取り回す隙間（トイレ室の後側壁面と便器本体との余分の隙間）が不要となると共に、分岐管を便器本体に取付けた状態で現場に持ち込むことができる。
【０００９】
前記目的に沿う第２の発明に係る水洗便器装置は、便器洗浄用貯水タンクを有さず、給水源から供給され加圧された水を入水口から開閉弁機構を介して便器本体に流し、便器本体の洗浄を行う水洗便器装置において、
給水源に管を介して連結される入水口が便器本体の背部の左右両側に取付け可能となって、便器本体の左右いずれか一方に取付けられた入水口と開閉弁機構の入水ポートとは可撓性管を介して連結されている。
これによって、便器本体の背部の、例えば、窪んだ空間部の左右のいずれか一方、例えば、給水源に近いほうに取付けられた入水口を、管を介して給水源に連結することができるので、管を取り回す隙間（トイレ室の後側壁面と便器本体との余分の隙間）が不要となると共に、入水口と開閉弁機構の入水ポートとを可撓性管を介して連結することができる。
【００１０】
第２の発明に係る水洗便器装置において、入水ポートは開閉弁機構の左右いずれか一方に設けられて、更に入水ポートには直下連結管の一端が連結され、直下連結管の他端に可撓性管の下流側が接続されるように構成することもできる。
これによって、開閉弁機構の左右いずれか一方に設けられた入水ポートに連結された直下連結管と入水口とを可撓性管を介して接続するので、接続作業が簡略化される。
【００１１】
第２の発明に係る水洗便器装置において、可撓性管は便器本体のボウル部の下部を囲む長さを有し、便器本体の左右いずれか一方に取付けられた入水口に可撓性管の上流側端部が接続可能となっているように構成することもできる。
これによって、可撓性管は便器本体内に収納されるので、外観性及び意匠性が向上する。
【００１２】
【発明の実施の形態】
続いて、添付した図面を参照しつつ、本発明を具体化した実施の形態につき説明し、本発明の理解に供する。
ここに、図１は本発明の第１の実施の形態に係る水洗便器装置の一部省略背面図、図２は同水洗便器装置の変形例の一部省略背面図、図３は本発明の第２の実施の形態に係る水洗便器装置の一部省略背面図、図４は同水洗便器装置の一部省略側面図である。
【００１３】
図１に示すように、本発明の第１の実施の形態に係る水洗便器装置１０は、便器本体１１とは別体となる便器洗浄用貯水タンクを有していない、所謂水道直結型（タンクレス）の形態のものであり、便器本体１１上の前側に載置された便座及び便蓋（図示せず）と、便器本体１１の後部（背部）に内蔵された開閉弁機構１２とを備えている。以下、これらについて詳しく説明する。なお、便器本体１１の幅方向を左右方向、便器本体１１の長さ方向を前後方向と定義する。
【００１４】
図１に示すように、水洗便器装置１０においては、便器本体１１の背部（後部）に載置され、図示しないカバーにより内蔵された制御手段１３を介して作動する開閉弁機構１２の左右にはそれぞれ、左、右入水ポート１４、１５が設けられており、それぞれの左、右入水ポート１４、１５には、その下端部に左、右入水口１６、１７をそれぞれ備えた直管からなる連結管１８、１９がベンド２０、２１を介して接続されている。
【００１５】
連結管１８、１９の左、右入水口１６、１７にはそれぞれ、トイレ室２２内の便器本体１１の左右方向のいずれか一方（片側）に配置され、給水源の一例である水道管（図示せず）の端部に設けられた止水栓２３（本実施の形態では、止水栓２３がトイレ室２２の一方側に配置されており、他方側に示す止水栓２４は実際に配置されていない）の下流側に接続される管の一例であるフレキシブルホースからなる給水用接続管２５（２６）がそれぞれ継手２７（２８）を介して接続されている。図１に示すように、ベンド２０、２１の垂直部はそれぞれ、便器本体１１の背部に一体的に水平に設けられた板状の取付座１１ａの左右方向に間隔を開けて形成された挿通孔１１ｂ、１１ｃに挿通されている。
【００１６】
従って、前記水道管を介して供給され加圧された水２９は、止水栓２３、給水用接続管２５及び連結管１８を介して開閉弁機構１２に供給され、制御手段１３により操作される開閉弁機構１２を介して便器本体１１に流され、リム洗浄及びジェット洗浄により便器本体１１の洗浄を行うように構成されている。
【００１７】
次いで、本発明の第１の実施の形態に係る水洗便器装置１０の製造、使用方法及び作用について、図１を参照しながら説明する。
（１）工場において、便器本体１１は開閉弁機構１２の左右にそれぞれ設けられた左、右入水ポート１４、１５に、上流側端部に左、右入水口１６、１７をそれぞれ備えた連結管１８、１９の下流側端部を、ベント２０、２１を介して連結した状態に製作する。
（２）前記（１）の状態に製作された便器本体１１を所定の現場（トイレ室２２内）の床面Ｆに設置し、固定する。
【００１８】
（３）トイレ室２２内に既に配置されている水道管の止水栓２３の下流側に給水用接続管２５の上流側端部を、継手２７を介して接続し、給水用接続管２５の下流側端部は、図示しない継手を介して連結管１８の左入水口１６に接続する。
（４）連結管１９の右入水口１７には、プラグ（図示せず）を取付ける。
（５）使用者の必要な操作によって、制御手段１３により開閉弁機構１２を経由して水道管の水２９は便器本体１１に流され、リム洗浄及びジェット洗浄により便器本体１１の洗浄を行うことができる。
【００１９】
本実施の形態においては、左、右入水口１６、１７をそれぞれ備えた連結管１８、１９が、便器本体１１の背部中央に設けられている突出支持部３７の左右にそれぞれに形成される空間部Ｋに設けられているので、トイレ室２２の後側壁面Ｗとの隙間を僅少にすることができ（図４参照）、装置をコンパクトに構成できると共に、左側に配置された水道管に給水用接続管２５を接続する簡単な作業となる。
【００２０】
次に、図２を参照して、水洗便器装置１０の変形例である水洗便器装置３０について説明するが、水洗便器装置１０と同一の構成要素については、同一の符号を付して詳しい説明を省略する。
水洗便器装置３０が水洗便器装置１０と異なる点は、便器本体３１の背部に設けられた制御手段１３を介して作動する開閉弁機構３２には、開閉弁機構３２の左側のみに左入水ポート１４が形成されており、開閉弁機構３２の左入水ポート１４には、下端部に左、右入水口１６ａ、１７ａを備えた分岐管３３がベンド２０を介して接続されている点である。以下、これらについて詳しく説明する。
【００２１】
図２に示すように、ベンド２０の垂直部は、便器本体３１の背部に一体的に水平に設けられた取付座３１ａの左側に形成された挿通孔３１ｂに挿通されている。分岐管３３は、ベンド２０の垂直部の下端部に継手を介して接続された垂直管３４と、垂直管３４の中間位置にて水平方向に分岐された水平管３５と、水平管３５の上流側端に一体的に設けられた曲管３６とを備えており、垂直管３４の下端部には左入水口１６ａが形成され、また、曲管３６の下端部には右入水口１７ａが形成されている。
【００２２】
図２に示すように、分岐管３３の一方の流路の一部を構成する水平管３５は、便器本体３１の後部（背部）中央に設けられている突出支持部３７ａを貫通して配管されている。即ち、水平管３５の両側は、突出支持部３７ａの左右方向に間隔を開けて配置され、取付座３１ａを支持するリブ状の垂直壁部３８、３９に形成された挿通孔３８ａ、３９ａに挿通されている。なお、分岐管３３の下端部に形成された左、右入水口１６ａ、１７ａの位置は、水洗便器装置１０の連結管１８、１９の下端部の左、右入水口１６、１７と略同じ位置としている。
【００２３】
かかる構成の分岐管３３によって、下端部の左、右入水口１６ａ、１７ａからのいずれの流路も上端部で一つの流路になり、ベンド２０を介して開閉弁機構３２の左入水ポート１４に連通させることができる。
なお、水洗便器装置３０の製造、使用方法及び作用については、水洗便器装置１０と略同様であるので、説明を割愛する。
【００２４】
図３及び図４に示すように、本発明の第２の実施の形態に係る水洗便器装置４０も、水洗便器装置１０、３０と同様、便器本体４１とは別体となる便器洗浄用貯水タンクを有していない水道直結型の形態のものである。水洗便器装置４０も、水洗便器装置３０と同様、便器本体４１上の前側に載置された便座及び便蓋（図示せず）と、便器本体４１の後部（背部）に内蔵され、左側のみに左入水ポート１４が形成された開閉弁機構３２と、開閉弁機構３２を制御する制御手段１３とを備えている。以下、これらについて詳しく説明する。なお、水洗便器装置１０、３０と同一の構成要素については、同一の符号を付して詳しい説明を省略する。
【００２５】
図３及び図４に示すように、水洗便器装置４０の開閉弁機構３２には、左入水ポート１４だけが形成されており、左入水ポート１４には、垂直部が取付座３１ａの左側に形成された挿通孔３１ｂに挿通するベンド２０の下流側端部が継手を介して接続されている。ベンド２０の上流側端部には継手を介して、Ｌ字状の直下連結管４２の一端、即ち、垂直部４３の上端が連結されており、一方、直下連結管４２の水平部４４は、便器本体４１の背部の左、右側にそれぞれ略垂直に設けられた側壁４５、４６のうち、側壁４５の上部に形成された貫通孔４５ａに貫通して配置されている。
【００２６】
図３及び図４に示すように、水平部４４の上流側端部には、接続用の継手が設けられている。また、ベンド２０の上流部及び直下連結管４２の主要部は、便器本体４１の後部中央に設けられている突出支持部３７ｂの左側に形成された空間部Ｋに配置されている。
【００２７】
便器本体４１の右の側壁４６の下部には、右入水口４８を備えたＬ字状の水取込み管５０がねじ締結により設けられており、水取込み管５０の下流側端部（図４では水平部）と直下連結管４２の上流側端部とは、可撓性管の一例であるフレキシブルホース５１により継手を介して接続されている。なお、フレキシブルホース５１は便器本体４１のボウル部５４の下部を囲む長さを有している。
水取込み管５０の右入水口４８には、トイレ室２２内の便器本体４１の右側に配置された水道管の端部に設けられた止水栓２４の下流側に接続される管の一例であるフレキシブルホースからなる給水用接続管５３が継手２８を介して接続されている。
【００２８】
本実施の形態では、止水栓２４が便器本体４１の右側にあるため、水取込み管５０を右の側壁４６に設けたが、もし止水栓２４の代わりに止水栓２３が便器本体４１の左側にある場合には、水取込み管５０の代わりに、水取込み管４９を左の側壁４５にねじ締結により設け、水取込み管４９の左入水口４７には、止水栓２３の下流側に接続される管の一例であるフレキシブルホースからなる給水用接続管５２を継手２７を介して接続することもできる。
【００２９】
このように、本実施の形態では、止水栓２３、２４の位置に応じて、止水栓２３、２４に対応する近い位置の側壁４５、４６のいずれか一方に水取込み管４９又は５０を設けて、給水用接続管５２、５３の長さを短くするように構成している。なお、水取込み管を使用しない側の側壁４５又は４６には、外観性を考慮して、意匠性を備えた盲栓を取付けておく。
【００３０】
次いで、本発明の第２の実施の形態に係る水洗便器装置４０の製造、使用方法及び作用について、図３及び図４を参照しながら説明する。
（１）工場において、便器本体４１は開閉弁機構３２の左に設けられた左入水ポート１４に、直下連結管４２をベント２０を介して連結した状態に製作する。
（２）前記（１）の状態に製作された便器本体４１を所定の現場（トイレ室２２内）の床面Ｆに設置し、固定する。
【００３１】
（３）トイレ室２２内に既に配置されている水道管の止水栓２４の位置に応じて、側壁４６に水取込み管５０をねじ締結により設ける。
（４）直下連結管４２の上流側端部と水取込み管５０の下流側端部とをフレキシブルホース５１により接続する。
（５）止水栓２４の下流側に給水用接続管５３の上流側端部を、継手２８を介して接続し、給水用接続管５３の下流側端部は図示しない継手を介して水取込み管５０の右入水口４８に接続する。
【００３２】
（６）使用しない水取込み管４９のねじ締結部に相当する側壁４５には、盲栓（図示せず）を取付ける。
（７）使用者の必要な操作によって、制御手段１３により開閉弁機構３２を介して水道管の水２９は便器本体４１に流され、リム洗浄及びジェット洗浄により便器本体４１の洗浄を行うことができる。
本実施の形態においては、特に、フレキシブルホース５１が便器本体４１に内蔵されているので、外観性及び意匠性に優れている。
【００３３】
本発明は前記した実施の形態に限定されるものではなく、本発明の要旨を変更しない範囲での変更は可能であり、例えば、前記したそれぞれの実施の形態や変形例の一部又は全部を組み合わせて本発明の水洗便器装置を構成する場合も本発明の権利範囲に含まれる。
水洗便器装置１０においては、開閉弁機構１２に左、右入水ポート１４、１５を設け、左、右入水ポート１４、１５に左、右入水口１６、１７をそれぞれ備えた連結管１８、１９をベンド２０、２１を介して接続したが、これに限定されず、必要に応じて、ベンドと一体となって、左、右入水口１６、１７をそれぞれ備えた連結管を左、右入水ポート１４、１５に直接接続することもできる。
【００３４】
水洗便器装置３０においては、分岐管３３の一方の流路（水平管３５及び曲管３６の部分）は、便器本体３１の後部中央に設けられている突出支持部３７ａを貫通して配管したが、これに限定されず、必要に応じて、その他の方法、例えば、突出支持部を貫通させることなく、取付座の上方に配置し、左、右入水口を備えた流路をそれぞれ、取付座に形成する２箇所の挿通孔に貫通させることもできる。
【００３５】
水洗便器装置４０においては、開閉弁機構３２の左入水ポート１４に直下連結管４２の一端を連結し、直下連結管４２の他端にフレキシブルホース５１を接続したが、これに限定されず、状況に応じて、フレキシブルホースを開閉弁機構３２の左入水ポート１４に直接接続することもできる。また、フレキシブルホース５１は便器本体４１のボウル部５４の下部を囲む長さを有し、右入水口４８を備えた水取込み管５０に接続したが、これに限定されず、必要に応じて、例えば、止水栓２３の場合には、水取込み管５０の代わりに水取込み管４９を側壁４５に設け、止水栓２３の下流側と水取込み管４９の左入水口４７とを、給水用接続管５２を介して接続することもできる。
【００３６】
水洗便器装置３０、４０においては、開閉弁機構３２には左入水ポート１４を設けたが、これに限定されず、必要に応じて、開閉弁機構に右入水ポートを設けても構わない。
便器洗浄用水の給水源として水道管を用いたが、これに限定されず、必要に応じて、その他の給水源を使用することもできる。
【００３７】
【発明の効果】
請求項１〜４記載の水洗便器装置においては、便器本体の背部の、例えば、窪んだ空間部の左右にそれぞれ設けた入水口のうち、例えば、給水源に近いほうの入水口を、管を介して給水源に連結することができるので、管を取り回す隙間が不要となるため、装置をコンパクトに構成できると共に、据付け現場での組み替え作業を無くすことができ、かつ、管の接続作業が容易で、管の無駄が無く、しかも、意匠性に優れている。
【００３８】
特に、請求項２記載の水洗便器装置においては、開閉弁機構の入水ポートに接続される連結管の入水口と給水源とを、管を介して連結するので、連結作業が簡略化され、この結果、作業性が向上する。
請求項３記載の水洗便器装置においては、分岐管の使用により一つの入水ポートを有する開閉弁機構を用いることができるので、安価な開閉弁機構を使用できる。
請求項４記載の水洗便器装置においては、分岐管を取り回す隙間が不要となるので、装置をコンパクトに構成できると共に、分岐管を便器本体に取付けた状態で現場に持ち込むことができるので、現場での作業性が向上する。
【００３９】
請求項５〜７記載の水洗便器装置においては、便器本体の背部の、例えば、窪んだ空間部の左右のいずれか一方に取付けられ、例えば、給水源に近いほうの入水口を、管を介して給水源に連結することができるので、管を取り回す隙間が不要となるため、装置をコンパクトに構成でき、また、据付け現場での組み替え作業を無くすことができ、かつ、管の接続作業が容易で、管の無駄が無く、しかも、意匠性に優れている。さらに、入水口と開閉弁機構の入水ポートとを可撓性管を介して連結することができるので、現場での作業性が向上する。
【００４０】
特に、請求項６記載の水洗便器装置においては、開閉弁機構の左右いずれか一方に設けられた入水ポートに連結された直下連結管と入水口とを可撓性管を介して接続するので、接続作業が簡略化されるため、作業性が向上すると共に、一つの入水ポートを有する開閉弁機構を用いることができるので、安価な開閉弁機構を使用できる。
請求項７記載の水洗便器装置においては、可撓性管は便器本体内に収納されるので、外観性及び意匠性が向上するため、製品の品質が向上する。
【図面の簡単な説明】
【図１】本発明の第１の実施の形態に係る水洗便器装置の一部省略背面図である。
【図２】同水洗便器装置の変形例の一部省略背面図である。
【図３】本発明の第２の実施の形態に係る水洗便器装置の一部省略背面図である。
【図４】同水洗便器装置の一部省略側面図である。
【符号の説明】
１０：水洗便器装置、１１：便器本体、１１ａ：取付座、１１ｂ、１１ｃ：挿通孔、１２：開閉弁機構、１３：制御手段、１４：左入水ポート、１５：右入水ポート、１６、１６ａ：左入水口、１７、１７ａ：右入水口、１８、１９：連結管、２０、２１：ベンド、２２：トイレ室、２３、２４：止水栓、２５、２６：給水用接続管（管）、２７、２８：継手、２９：水、３０：水洗便器装置、３１：便器本体、３１ａ：取付座、３１ｂ：挿通孔、３２：開閉弁機構、３３：分岐管、３４：垂直管、３５：水平管、３６：曲管、３７、３７ａ、３７ｂ：突出支持部、３８：垂直壁部、３８ａ：挿通孔、３９：垂直壁部、３９ａ：挿通孔、４０：水洗便器装置、４１：便器本体、４２：直下連結管、４３：垂直部、４４：水平部、４５：側壁、４５ａ：貫通孔、４６：側壁、４７：左入水口、４８：右入水口、４９、５０：水取込み管、５１：フレキシブルホース（可撓性管）、５２、５３：給水用接続管（管）、５４：ボウル部
【図１】
2004232325.tif 000003
【図２】
2004232325.tif 000004
【図３】
2004232325.tif 000005
【図４】
2004232325.tif 000006